(57)【要約】【課題】リーク検出回路が正常に機能しないときに集塵極及び放電極に対する電圧の印加を停止することができる静電集塵機の制御装置を提供する。【解決手段】静電集塵機１の制御装置１３は、電圧発生ユニット１２により集塵極８及び放電極９に印加された電圧が予め定められた閾値未満であることを検出するリーク検出回路１４を備えており、上記電圧が閾値未満であるときに同電圧の印加を停止する第１停止処理を行う。制御装置１３は、リーク検出回路１４に検査信号ＳＩ１を出力する制御部１５を備える。リーク検出回路１４は、制御部１５からの検査信号ＳＩ１を入力したことに基づき、制御部１５に応答信号ＳＩ２を出力する機能を有する。制御部１５は、リーク検出回路１４に検査信号ＳＩ１を出力しても応答信号ＳＩ２の入力がないことに基づき電圧発生ユニット１２による集塵極８及び放電極９に対する電圧の印加を停止する第２停止処理を行う。【選択図】図１
2017154088.tif 000002
【特許請求の範囲】
【請求項１】
電圧発生ユニットによって集塵極及び放電極に電圧を印加することにより、それら集塵極と放電極との間を通過する流体に含まれた微粒子を帯電させて前記集塵極に付着させる静電集塵機に適用され、前記集塵極及び前記放電極に印加された電圧が閾値未満であることを検出するリーク検出回路を備えており、そのリーク検出回路によって前記電圧が閾値未満であることが検出されたことに基づき前記電圧発生ユニットによる前記電圧の印加を停止する第１停止処理を行う静電集塵機の制御装置において、
前記リーク検出回路に検査信号を出力する制御部を備え、
前記リーク検出回路は、前記制御部からの検査信号を入力したことに基づき、前記制御部に応答信号を出力する機能を有しており、
前記制御部は、前記リーク検出回路に検査信号を出力しても同リーク検出回路からの応答信号の入力がないことに基づき前記電圧発生ユニットによる前記電圧の印加を停止する第２停止処理を行うものである
ことを特徴とする静電集塵機の制御装置。
【請求項２】
請求項１に記載の静電集塵機の制御装置において、
前記第１停止処理が行われるときに、そのことを報知する報知部を備え、
前記制御部は、前記第２停止処理が行われるとき、そのことを前記報知部を用いて報知するよう構成されている静電集塵機の制御装置。
【請求項３】
前記リーク検出回路は、前記集塵極及び前記放電極に印加された電圧が閾値未満であるときに前記制御部に異常信号を出力する機能を有しており、
前記制御部は、前記リーク検出回路からの異常信号を入力したことに基づき前記電圧発生ユニットによる前記電圧の印加を停止する機能を有しており、その機能を通じて前記第１停止処理も行うものである請求項１又は２に記載の静電集塵機の制御装置。
【発明の詳細な説明】
【技術分野】
【０００１】
本発明は、静電集塵機の制御装置に関する。
【背景技術】
【０００２】
工業製品等の加工現場において切削機械を用いて切削加工を行う場合、その切削加工時に切削油のミスト等の微粒子が周辺の空気中に含まれるようになるため、そうした微粒子を回収する静電集塵機が切削機械の近傍に設置される。静電集塵機は、電圧発生ユニットによって電圧が印加される集塵極及び放電極を備えており、それら集塵極と放電極との間に微粒子が含まれた流体（この場合は空気）が流されるようになっている。そして、集塵極と放電極との間を通過する空気中の微粒子を帯電させて上記集塵極に付着させることにより、空気中から微粒子を取り除いて回収するようにしている。
【０００３】
ところで、静電集塵機において、集塵極に導電性を有する微粒子が付着することによって集塵極と放電極との間でリーク電流が流れると、電圧発生ユニットを通じて集塵極及び放電極に印加された電圧が低下して静電集塵機の機能に支障を来すおそれがある。このため、特許文献１に示されるように、集塵極及び放電極に印加された電圧を検出する手段（リーク検出回路等）を設け、そのリーク検出回路によって検出された上記電圧が予め定められた閾値未満に低下したとき、電圧発生ユニットによる上記電圧の印加を停止することが提案されている。
【先行技術文献】
【特許文献】
【０００４】
【特許文献１】特開２００８−６８２０７号公報
【発明の概要】
【発明が解決しようとする課題】
【０００５】
上述したように、リーク検出回路によって検出された電圧が閾値未満であるときに電圧発生ユニットによる上記電圧の印加を停止させれば、同電圧が低下した状態が続くことに伴って静電集塵機の機能に支障を来すことは抑制される。ただし、静電集塵機は空気中に切削油のミスト等の微粒子が多く含まれる環境下に設置されるため、そうした環境下での長い期間に亘る使用によりリーク検出回路が汚損して正常に機能しなくなるおそれがある。そして、このようにリーク検出回路が正常に機能しなくなると、集塵極及び放電極に印加された電圧が閾値未満となっても、電圧発生ユニットによる上記電圧の印加を停止できなくなる。
【０００６】
本発明の目的は、リーク検出回路が正常に機能しないときに集塵極及び放電極に対する電圧の印加を停止することができる静電集塵機の制御装置を提供することにある。
【課題を解決するための手段】
【０００７】
以下、上記課題を解決するための手段及びその作用効果について記載する。
上記課題を解決する静電集塵機の制御装置は、電圧発生ユニットによって集塵極及び放電極に電圧を印加することにより、それら集塵極と放電極との間を通過する流体に含まれた微粒子を帯電させて集塵極に付着させる静電集塵機に適用される。同装置は、集塵極及び放電極に印加された電圧が閾値未満であることを検出するリーク検出回路を備えており、そのリーク検出回路によって上記電圧が閾値未満であることが検出されたことに基づき電圧発生ユニットによる上記電圧の印加を停止する第１停止処理を行う。また、同装置は、リーク検出回路に検査信号を出力する制御部を備える。更に、上記リーク検出回路は、上記制御部からの検査信号を入力したことに基づき、上記制御部に応答信号を出力する機能を有している。一方、上記制御部は、上記リーク検出回路に検査信号を出力しても同リーク検出回路からの応答信号の入力がないことに基づき電圧発生ユニットによる上記電圧の印加を停止する第２停止処理を行う。
【０００８】
上記構成によれば、正常に機能していないリーク検出回路は、制御部からの検査信号を入力しても、その検査信号の入力に基づいて応答信号を制御部に出力することができない。制御部は、リーク検出回路に検査信号を出力しても同リーク検出回路からの応答信号の入力がない場合には、そのことに基づき電圧発生ユニットによる集塵極及び放電極に対する電圧の印加を停止する第２停止処理を行う。このように第２停止処理を行うことにより、リーク検出回路が正常に機能していないとき、電圧発生ユニットによる集塵極及び放電極に対する電圧の印加を停止することができる。
【０００９】
また、上記制御装置は、上記第１停止処理が行われるときに、そのことを報知する報知部を備えるものとすることが考えられる。この場合、上記制御部は、上記第２停止処理が行われるとき、そのことを上記報知部を用いて報知するよう構成されていることが好ましい。
【００１０】
上記構成によれば、第１停止処理により集塵極及び放電極に対する電圧の印加が停止したことを報知する報知部を用いて、第２停止処理により集塵極及び放電極に対する電圧の印加が停止したことも報知することができる。このように報知部を第１停止処理実行時の報知用と第２停止処理実行時の報知用とで共用すれば、報知部を増やす必要がなくなって上記制御装置を簡略化することができる。
【００１１】
また、上記リーク検出回路は、集塵極及び放電極に印加された電圧が閾値未満であるときに上記制御部に異常信号を出力する機能を有するものとすることが考えられる。この場合、上記制御部は、リーク検出回路からの異常信号を入力したことに基づき電圧発生ユニットによる上記電圧の印加を停止する機能を有するものとし、その機能を通じて上記第１停止処理も行うものとすることが好ましい。
【００１２】
上記構成によれば、制御部が第２停止処理だけでなく第１停止処理を行う機能も有しているため、その機能を制御装置における制御部以外の部分で実現する必要がなくなって同装置を簡略化することができる。
【図面の簡単な説明】
【００１３】
【図１】静電集塵機及びその制御装置の全体構成を示す断面図。
【図２】第１停止処理の実行手順を示すフローチャート。
【図３】第２停止処理の実行手順を示すフローチャート。
【発明を実施するための形態】
【００１４】
以下、静電集塵機の制御装置の一実施形態について、図１〜図３を参照して説明する。
図１に示すように、静電集塵機１は、上下二段の集塵部２，３を収容したケース４を備えている。ケース４において、下段の集塵部２よりも下側の部分には導入口５が形成される一方で、上段の集塵部３よりも上側の部分には導出口６が形成されている。また、ケース４内における上段の集塵部３よりも上側の部分にはファン７が設けられている。このファン７の駆動により、空気が導入口５からケース４内に導入され、その後に集塵部２、３を通過して導出口６からケース４外に導出される。
【００１５】
集塵部２，３は、ケース４内に対し絶縁された状態で支持される角パイプ状の集塵極８と、その集塵極８に対し絶縁された状態で支持される放電極９と、を備えている。集塵極８は、並列に複数束ねた状態で互いに溶接されている。また、それら集塵極８内にはそれぞれ棒状をなす上記放電極９が挿入されている。これら放電極９は、集塵極８に対し絶縁された状態で支持される支持板１０に固定されている。支持板１０には、空気を通過させるための複数の孔１１が形成されている。そして、集塵部２，３を空気が通過する際には、その空気が集塵極８の内部であって放電極９とて集塵極８の内壁との間を通過し、その後に支持板１０の孔１１を通過するようになる。
【００１６】
静電集塵機１には、集塵極８及び放電極９に電圧を印加する電圧発生ユニット１２が集塵部２，３毎に設けられている。この電圧発生ユニット１２により集塵極８及び放電極９に電圧を印加した状態のもとで、それら集塵極８と放電極９との間を空気が通過するとき、空気中に切削油のミスト等の微粒子が含まれている場合には同微粒子が帯電して集塵極８の内壁に付着する。このように微粒子を集塵極８に付着させることにより、空気中から微粒子が取り除かれて同微粒子が回収される。
【００１７】
静電集塵機１の制御装置１３は、電圧発生ユニット１２により集塵極８及び放電極９に印加された電圧が予め定められた閾値未満であることを検出するリーク検出回路１４を備えている。そして、制御装置１３は、リーク検出回路１４によって上記電圧が閾値未満であることが検出されたことに基づき電圧発生ユニット１２による上記電圧の印加を停止する第１停止処理を行う。更に、制御装置１３は、上記第１停止処理が行われるときに、そのことを警告灯の点灯や警報音の発生等によって報知する報知部１６も備えている。
【００１８】
なお、上記閾値としては、集塵極８及び放電極９に印加される電圧として静電集塵機１の機能に支障を来すおそれがあるほど低い電圧が用いられる。従って、上記第１停止処理を実行することにより、集塵極８及び放電極９に印加される電圧が閾値未満に低下したとき、その状態のもとで上記電圧の印加が続けられることに伴い、静電集塵機１の機能に支障を来すことが抑制される。
【００１９】
次に、上記制御装置１３の詳細な構造について説明する。
制御装置１３は、静電集塵機１の運転中に定期的にリーク検出回路１４に対し検査信号ＳＩ１を出力する制御部１５を備えている。一方、リーク検出回路１４は、制御部１５からの検査信号ＳＩ１を入力したことに基づき、制御部１５に応答信号ＳＩ２を出力する機能を有している。そして、制御部１５は、リーク検出回路１４に検査信号ＳＩ１を出力しても同リーク検出回路１４からの応答信号ＳＩ２の入力がないことに基づき電圧発生ユニット１２による集塵極８及び放電極９に対する電圧の印加を停止する第２停止処理を行うよう構成されている。更に、制御部１５は、上記第２停止処理が行われるとき、そのことを上記報知部１６を用いて報知するようにも構成されている。
【００２０】
ちなみに、制御部１５は、第２停止処理を行うだけでなく、上述した第１停止処理も行う。詳しくは、上記リーク検出回路１４には、集塵極８及び放電極９に印加された電圧が閾値未満であるときに制御部１５に異常信号ＳＩ３を出力する機能が備えられている。一方、上記制御部１５は、リーク検出回路１４からの異常信号ＳＩ３を入力したことに基づき電圧発生ユニット１２による上記電圧の印加を停止する機能を有しており、その機能を通じて上記第１停止処理も行うよう構成されている。
【００２１】
図２及び図３のフローチャートはそれぞれ、制御部１５を通じて行われる上記第１停止処理の実行手順及び上記第２停止処理の実行手順を示している。
静電集塵機１の運転中において、制御部１５は、図２のステップ１０１（Ｓ１０１）として、リーク検出回路１４からの異常信号ＳＩ３の入力があったか否かを判断する。ここで異常信号ＳＩ３の入力がないと判断された場合にはＳ１０１の処理を繰り返し、異常信号ＳＩ３の入力があったと判断された場合にはＳ１０２に進む。制御部１５は、Ｓ１０２の処理として静電集塵機１の運転停止を通じて電圧発生ユニット１２による集塵極８及び放電極９に対する電圧の印加を停止し、続くＳ１０３の処理として第１停止処理が実行されたことを報知部１６を用いて報知する。
【００２２】
また、静電集塵機１の運転中において、制御部１５は、図３のＳ２０１の処理として、リーク検出回路１４に検査信号ＳＩ１を定期的に、より詳しくは所定時間毎（例えば１時間毎）に出力する。制御部１５は、続くＳ２０２の処理として、上記検査信号ＳＩ１を出力してから所定時間（例えば３０秒）以内に、リーク検出回路１４からの応答信号ＳＩ２の入力があったか否かを判断する。そして、所定時間以内に応答信号ＳＩ２の入力がない場合にはＳ２０３に進む。制御部１５は、Ｓ２０３の処理として静電集塵機１の運転停止を通じて電圧発生ユニット１２による集塵極８及び放電極９に対する電圧の印加を停止し、続くＳ１０３の処理として第２停止処理が実行されたことを報知部１６を用いて報知する。
【００２３】
次に、上記制御装置１３の作用について説明する。
静電集塵機１は空気中に切削油のミスト等の微粒子が多く含まれる環境下に設置されるため、そうした環境下での長い期間に亘る使用によりリーク検出回路１４が汚損して正常に機能しなくなるおそれがある。正常に機能していないリーク検出回路１４は、制御部１５からの検査信号ＳＩ１を入力しても、その検査信号ＳＩ１の入力に基づいて応答信号ＳＩ２を制御部１５に出力することができない。制御部１５は、静電集塵機１の運転中において、リーク検出回路１４に検査信号ＳＩ１を出力しても同リーク検出回路１４からの応答信号ＳＩ２の入力がない場合には、そのことに基づき電圧発生ユニット１２による集塵極８及び放電極９に対する電圧の印加を停止する第２停止処理を行う。
【００２４】
以上詳述した本実施形態によれば、以下に示す効果が得られるようになる。
（１）上記第２停止処理を行うことにより、リーク検出回路１４が正常に機能していないとき、電圧発生ユニット１２による集塵極８及び放電極９に対する電圧の印加を停止することができる。
【００２５】
（２）第１停止処理により集塵極８及び放電極９に対する電圧の印加が停止したことを報知する報知部１６を用いて、第２停止処理により集塵極８及び放電極９に対する電圧の印加が停止したことも報知することができる。このように報知部１６を第１停止処理実行時の報知用と第２停止処理実行時の報知用とで共用すれば、報知部１６を増やす必要がなくなって上記制御装置１３を簡略化することができる。
【００２６】
（２）制御部１５が第２停止処理だけでなく第１停止処理を行う機能も有しているため、その機能を制御装置１３における制御部１５以外の部分で実現する必要がなくなって同装置１３を簡略化することができる。
【００２７】
なお、上記実施形態は、例えば以下のように変更することもできる。
・第２停止処理の実行時の報知を行う報知部１６とは別に、第１停止処理の実行時の報知を行う報知部を設けるようにしてもよい。
【００２８】
・第１停止処理の実行時の報知と第２停止処理の実行時の報知とで報知の仕方を変えてもよい。例えば、第１停止処理の実行時の報知と第２停止処理の実行時の報知とのうち、一方を警告灯の点灯によって行い、もう一方を警告音の発生によって行うようにしてもよい。また、第１停止処理の実行時の報知と第２停止処理の実行時の報知とを、警告灯の点灯の仕方（点滅や常時点灯など）によって使い分けたり、警告音の発生の仕方（断続音や連続音など）によって使い分けたりしてもよい。
【００２９】
・第１停止処理が行われることを必ずしも報知部１６によって報知する必要はない。
・第２停止処理が行われることを必ずしも報知部１６によって報知する必要はない。
・第１停止処理と第２停止処理とを共に制御部１５で行うようにしたが、第１停止処理を制御部１５以外の部分で行うよう同制御部１５とは別の制御部を設け、その別の制御部によって第１停止処理を行うようにしてもよい。この場合、第１停止処理が行われたとき、上記別の制御部が報知部１６による報知を行うようにする。
【符号の説明】
【００３０】
１…静電集塵機、２…集塵部、３…集塵部、４…ケース、５…導入口、６…導出口、７…ファン、８…集塵極、９…放電極、１０…支持板、１１…孔、１２…電圧発生ユニット、１３…制御装置、１４…リーク検出回路、１５…制御部、１６…報知部。
【図１】
2017154088.tif 000003
【図２】
2017154088.tif 000004
【図３】
2017154088.tif 000005